(57)【要約】【課題】内容の充実した運転支援情報（ハザードマップデータ）を、コンパクトなデータ量でメモリカードを介して運転支援装置（ドライブレコーダ）に供給すること。【解決手段】ドライブレコーダ３において危険地点の走行を運転者に警報するのに必要な危険地点のデータを、その車両の運行経路上に存在するものだけ抽出してメモリカードＣに記憶させるようにした。このため、ドライブレコーダ解析ユニット１のパソコン１０で構築した危険地点のデータベースを全てメモリカードＣにハザードマップデータとして記録させるよりも、メモリカードＣに記憶させるデータ量を大幅に縮減させることができる。【選択図】図１
2014032541.tif 000002
【特許請求の範囲】
【請求項１】
車両で収集した運行状況の記録情報から特定した車両走行上の危険地点のデータを、前記車両の走行時に運転者に警報するために用いる運転支援情報として管理する運転支援情報管理装置において、
前記特定した危険地点のデータベースを前記車両の運行経路と照合して、該運行経路上に存在する前記危険地点を抽出する抽出手段と、
前記抽出した危険地点のデータを、前記照合した運行経路で運行する車両において前記記録情報が書き込まれるメモリカードに、該車両で用いる前記運転支援情報として記憶させる記録手段と、
を備えることを特徴とする運転支援情報管理装置。
【請求項２】
前記メモリカードには、前記車両又は該車両の運転者を特定する識別子が記憶されており、前記抽出手段は、前記識別子から特定した前記車両の運行経路を、前記データベースと照合することを特徴とする請求項１記載の運転支援情報管理装置。
【発明の詳細な説明】
【技術分野】
【０００１】
本発明は、車両の運転者を支援する運転支援情報を管理する装置に関するものである。
【背景技術】
【０００２】
従来より、車両に衝撃が加えられた際に、このときの車両の位置、車両周囲の映像、音声、走行速度等の車両の走行に関する各種の情報を記録するために、ドライブレコーダが提案され実用に供されている。ドライブレコーダを用いることにより、例えば車両が衝突事故を起こした場合に、この衝突の前後の情報が記録保存されるので、事故原因の解析等に役立てることができる。
【０００３】
また、ドライブレコーダは、運転者の運転を支援する運転支援装置としても利用される。その際には、車両が急ブレーキをかけた地点等、ドライブレコーダの記録情報を解析して得られた危険地点（ヒヤリ・ハット地点）のデータベース（ハザードマップデータ）がドライブレコーダに搭載される。そして、車両が危険箇所を通行する際にドライブレコーダから運転者に対して警報が出力される。
【０００４】
上述したハザードマップデータは、個々のドライブレコーダで独自に作成される場合もあるが、情報量を豊富にする観点から、ドライブレコーダの記録情報を解析する解析装置で一元的に作成される場合もある（例えば、特許文献１）。
【先行技術文献】
【特許文献】
【０００５】
【特許文献１】特開２０１１−２４２１９０号公報
【発明の概要】
【発明が解決しようとする課題】
【０００６】
上述した特許文献１では、記録情報やハザードマップデータの受け渡しをネットワークによるオンライン通信で行うことを開示しているが、必ずしもそのようなインフラが整備されているとは限らない。したがって、可搬型記録媒体（メモリカード）を用いてオフラインで受け渡しを行うことも大いに行われている。その場合、危険地点やそれを基にしたハザードマップデータの、解析装置からドライブレコーダへの受け渡しにも、メモリカードを用いるのが合理的である。
【０００７】
この場合、メモリカードの主たる使用目的は、ドライブレコーダで収集した記録情報を解析装置に受け渡すことにあるので、それに必要な記憶容量を割り込むような容量のハザードマップデータをメモリカードに記憶させる訳には行かない。その反面、ハザードマップデータの内容が充実すればするほどそのデータ量は当然増える。したがって、このままでは、解析装置でハザードマップデータを一元的に作成することの利点を充分に生かすことができなくなってしまう。
【０００８】
本発明は前記事情に鑑みなされたもので、本発明の目的は、内容の充実した運転支援情報（ハザードマップデータ）を、コンパクトなデータ量でメモリカードを介して運転支援装置（ドライブレコーダ）に供給できる運転支援情報管理装置を提供することにある。
【課題を解決するための手段】
【０００９】
上記目的を達成するため、請求項１に記載した本発明の運転支援情報管理装置は、
車両で収集した運行状況の記録情報から特定した車両走行上の危険地点のデータを、前記車両の走行時に運転者に警報するために用いる運転支援情報として管理する運転支援情報管理装置において、
前記特定した危険地点のデータベースを前記車両の運行経路と照合して、該運行経路上に存在する前記危険地点を抽出する抽出手段と、
前記抽出した危険地点のデータを、前記照合した運行経路で運行する車両において前記記録情報が書き込まれるメモリカードに、該車両で用いる前記運転支援情報として記憶させる記録手段と、
を備えることを特徴とする。
【００１０】
請求項１に記載した本発明の運転支援情報管理装置によれば、車両において収集した運行状況の記録情報が書き込まれるメモリカードに、その車両の走行時に運転者に危険地点を警報するために用いる運転支援情報として、危険地点のデータが記憶される。そして、記憶される危険地点のデータは、その車両の運行経路上に存在する危険地点のみに限られる。
【００１１】
したがって、車両の運行経路上に存在しない危険地点のデータ分だけメモリカードに記憶する運転支援情報のデータ量を少なくすることができ、内容の充実した運転支援情報をコンパクトなデータ量でメモリカードを介して車両側に供給することができる。
【００１２】
また、請求項２に記載した本発明の運転支援情報管理装置は、請求項１に記載した本発明の運転支援情報管理装置において、前記メモリカードには、前記車両又は該車両の運転者を特定する識別子が記憶されており、前記抽出手段は、前記識別子から特定した前記車両の運行経路を、前記データベースと照合することを特徴とする。
【００１３】
請求項２に記載した本発明の運転支援情報管理装置によれば、請求項１に記載した本発明の運転支援情報管理装置において、車両又はその運転者を特定する識別子がメモリカードに記憶されている場合は、その識別子から車両の運行経路を特定して、その車両が運行する経路上の危険地点を容易に抽出することができる。
【発明の効果】
【００１４】
本発明によれば、内容の充実した運転支援情報をコンパクトなデータ量でメモリカードを介して車両側に供給することができる。
【図面の簡単な説明】
【００１５】
【図１】本発明の一実施形態に係るドライブレコーダシステムの概略構成図である。
【図２】図１に示すドライブレコーダの電気的構成を示すブロック図である。
【図３】図１に示すドライブレコーダ解析ユニットのパーソナルコンピュータのＣＰＵがＲＯＭに格納されたプログラムにしたがって実行する、リーダライタに装填したメモリカードに対して行う処理の手順を示すフローチャートである。
【発明を実施するための形態】
【００１６】
以下、本発明による運転支援情報管理装置の実施形態を、図面を参照しながら説明する。
【００１７】
図１は本発明の一実施形態に係るドライブレコーダシステムの概略構成図である。図１に示すドライブレコーダシステムは、ドライブレコーダ解析ユニット１とドライブレコーダ３とを有している。
【００１８】
ドライブレコーダ解析ユニット１は、ドライブレコーダ３を搭載する車両（図示せず）を管理する営業所等に設置される。ドライブレコーダ解析ユニット１は、キーボード１１及びディスプレイ１３を有するパーソナルコンピュータ（請求項中の運転支援情報管理装置に相当。以下、「パソコン」と略記する。）１０と、パソコン１０に接続したプリンタ１５及びリーダライタ１７とを有している。
【００１９】
パソコン１０は、ＣＰＵ、ＲＡＭ、ＲＯＭ、及び、ハードディスク等（いずれも図示せず）を内蔵しており、ハードディスクには、ドライブレコーダ３で収集した車両の運行状況の記録情報を解析するためのプログラムがインストールされている。
【００２０】
この解析プログラムは、ドライブレコーダ３の後述するカメラ３５ａ〜３５ｎにより撮影してメモリーカード（可搬型メモリカード）Ｃに録画した画像を、パソコン１０で再生したり解析するためのソフトウェアである。
【００２１】
また、解析プログラムには、メモリカードＣをフォーマットするプログラムや、カメラ３５ａ〜３５ｎを用いてドライブレコーダ３により画像を録画する際の画質を設定してメモリカードＣの専用領域に書き込むプログラムが含まれている。
【００２２】
さらに、解析プログラムには、ドライブレコーダ３の搭載車両（図示せず）において収集してメモリカードＣに記憶された記録情報から、走行上の危険地点を特定するためのプログラムが含まれている。この危険地点とは、所謂ヒヤリ・ハット地点であり、車両の運転者が急ブレーキや急ハンドル等の危険回避行動を取る傾向がある地点のことを言う。
【００２３】
プリンタ１５は、パソコン１０で行った設定や解析の内容等をプリントアウトする際に用いられる。リーダライタ１７は、カードスロット１７ａから挿入したメモリカードＣに対するデータの書き込み及び読み出しを、パソコン１０のＣＰＵの制御によって行う。
【００２４】
ドライブレコーダ３は、例えば不図示の車両のフロントガラスに取り付けられる。ドライブレコーダ３の本体はカメラ３５ａを内蔵しており、また、外付けのカメラ３５ｂ〜３５ｎを有している。
【００２５】
図２のブロック図に示すように、ドライブレコーダ３は、本体に内蔵されたＣＰＵ３１、ＲＯＭ３２、ＲＡＭ３３、メモリ３４、カメラ３５ａ〜３５ｎのインタフェース（Ｉ／Ｆ）３５ｉ、メモリカードＣに対するデータの書き込み及び読み出し用のリーダライタ３８、及び、外部接続用のインタフェース部３９を有している。このインタフェース部３９には、車両の車速センサ４１、ＧＰＳ（全地球測位システム）モジュール４３、スピーカユニット４５等が接続される。
【００２６】
ＧＰＳモジュール４３は、ドライブレコーダ３を搭載した不図示の車両の現在位置を検出するモジュールである。スピーカユニット４５は、ＣＰＵ３１が生成した音声データを出力するユニットである。
【００２７】
また、ドライブレコーダ３は、各カメラ３５ａ〜３５ｎにそれぞれ対応する加速度センサ３７ａ〜３７ｎを有している。カメラ３５ａに対応する加速度センサ３７ａは本体に内装され、他の加速度センサ３７ｂ〜３７ｎは、対応する外付けの各カメラ３５ｂ〜３５ｎの設置箇所にそれぞれ配置される。
【００２８】
ドライブレコーダ３のＣＰＵ３１は、ＲＯＭ３２に格納されたプログラムにしたがって、カメラ３５ａ〜３５ｎが撮影する画像を、ＳＲＡＭ等で構成されるメモリ３４を用いて一旦録画する。そして、本体のカードスロット３８ａ（図１参照）からリーダライタ３８に挿入されたメモリカードＣにダウンロードし書き込む。
【００２９】
メモリカードＣに画像を録画するモードは２つある。一つは常時記録モードであり、リーダライタ３８にメモリカードＣが装填されている間、あるいは、車両の運行開始及び終了の指示がインタフェース部３９を介して外部機器（図示せず）からＣＰＵ３１に入力される間、比較的低い画質で長時間画像を録画するモードである。
【００３０】
もう一つはトリガ記録モードであり、加速度センサ３７ａ〜３７ｎによる一定値以上の加速度検出時や、車速センサ４１から入力される車速の一定速度以上の変化、インタフェース部３９に接続された不図示の外部機器から荷台ドアの開閉や作業開始等の指示が入力された際に、そのトリガ時点の前後一定時間について、比較的高い画質で短時間画像を録画するモードである。
【００３１】
ドライブレコーダ３のＣＰＵ３１は、メモリカードＣの専用領域からリーダライタ３８が読み出した画質設定情報に基づいて、常時記録モードやトリガ記録モードでカメラ３５ａ〜３５ｎが撮影した画像をそれぞれ設定された画質でメモリカードＣに録画する。
【００３２】
なお、メモリカードＣには、画像等の運行状況を記録情報として記憶させる専用領域の他に、識別子の記憶領域とハザードマップデータの記憶領域とが設けられている。識別子の記憶領域には、ドライブレコーダ３で記録情報を収集する車両又はその運転者を特定するために、メモリカードＣに割り当てられたＩＤ情報が記憶される。また、ハザードマップデータの記憶領域には、危険地点を示すデータが記憶される。
【００３３】
次に、図１に示すドライブレコーダ解析ユニット１のパソコン１０のＣＰＵがＲＯＭのプログラムにしたがって実行する、リーダライタ１７に装填したメモリカードＣに対して行う処理の手順を、図３のフローチャートを参照して説明する。
【００３４】
まず、パソコン１０のＣＰＵは、リーダライタ１７に装填したメモリカードＣの専用領域から記録情報を読み出し（ステップＳ１）、読み出した記録情報中に、危険地点に該当する地点で記録されるトリガ（危険）データが存在するか否かを確認する（ステップＳ３）。トリガデータが存在しない場合は（ステップＳ３でＮＯ）、後述するステップＳ１５に移行する。
【００３５】
一方、トリガデータが存在する場合は（ステップＳ３でＹＥＳ）、パソコン１０内のハードディスク（図示せず）等に格納された危険地点のデータベースに同じ地点が登録されているか否かを確認する（ステップＳ５）。登録されていない場合は（ステップＳ５でＮＯ）、新規の危険地点としてデータベースに登録した後（ステップＳ７）、ステップＳ１５に移行する。
【００３６】
また、トリガデータと同じ地点がデータベースに登録されている場合は（ステップＳ５でＹＥＳ）、トリガデータの発生回数（危険地点として記録情報に記録された回数）が規定の回数を超えたか否かを確認する（ステップＳ９）。規定回数を超えていない場合は（ステップＳ９でＮＯ）、データベース内においてカウントされている発生回数をカウントアップした後（ステップＳ１１）、ステップＳ１５に移行する。
【００３７】
一方、トリガデータの発生回数が規定回数を超えた場合は（ステップＳ９でＹＥＳ）、データベースにおいて規定されているその危険地点の危険レベルを１段階上げて発生回数のカウント値をリセットした後（ステップＳ１３）、ステップＳ１５に移行する。
【００３８】
ステップＳ１５では、ステップＳ７乃至ステップＳ１３の手順によって変更された不図示のハードディスクのデータベースの内容に合わせてハザードマップデータを更新する。続いて、リーダライタ１７に装填したメモリカードＣの識別子を読み出して（ステップＳ１７）、読み出した識別子の車両（又は識別子の運転者が運転する車両）の運行経路を示す運行計画データを、不図示のハードディスクに予め登録された運行計画データの中から抽出する（ステップＳ１９）。
【００３９】
そして、抽出した運行計画データが示す運行経路を、不図示のハードディスクのハザードマップデータと照合して、運行経路上に存在する危険地点を抽出し（ステップＳ２１）、抽出した危険地点をメモリカードＣのハザードマップデータの記憶領域に書き込ませた後（ステップＳ２３）、リーダライタ１７からメモリカードＣを取り出して（ステップＳ２５）、一連の処理を終了する。
【００４０】
以上の説明からも明らかなように、本実施形態では、図３のフローチャートにおけるステップＳ２１が、請求項中の抽出手段に対応する処理となっている。また、本実施形態では、図３中のステップＳ２３が、請求項中の記録手段に対応する処理となっている。
【００４１】
上述した手順で、車両の運行経路上に存在する危険地点が書き込まれたメモリカードＣは、その後、対応する車両のドライブレコーダ３のカードスロット３８ａからリーダライタ３８に装填される。そして、ＣＰＵ３１の制御により危険地点がメモリカードＣから読み出されて、ＲＡＭ３３又はメモリ３４に一時格納される。
【００４２】
この危険地点は、ＧＰＳモジュール４３が検出する車両の現在位置と常時照合され、両者が一致して車両が走行中に危険地点に差しかかったことがわかるとが、危険地点であることを警報する音声メッセージが、ＣＰＵ３１の制御によりスピーカユニット４５から出力される。
【００４３】
以上に説明したように、本実施形態のドライブレコーダシステムによれば、ドライブレコーダ３において危険地点の走行を運転者に警報するのに必要な危険地点のデータを、その車両の運行経路上に存在するものだけ抽出してメモリカードＣに記憶させるようにした。このため、ドライブレコーダ解析ユニット１のパソコン１０で構築した危険地点のデータベースを全てメモリカードＣにハザードマップデータとして記録させるよりも、メモリカードＣに記憶させるデータ量を大幅に縮減させることができる。
【００４４】
よって、メモリカードＣに本来記憶させるべき、ドライブレコーダ３が収集した運行状況の記録情報の記憶領域が、ハザードマップデータを記憶させることで減ってしまうのを防ぐことができる。その上で、ドライブレコーダ解析ユニット１のパソコン１０で構築した危険地点のデータベースに基づいて作成した、内容の充実した最新のハザードマップデータ（運転支援情報）を、各車両で必要な危険箇所のみに絞ったコンパクトなデータ量で、メモリカードＣを介して車両側（のドライブレコーダ３）に供給することができる。
【００４５】
なお、本実施形態では、メモリカードＣに車両又はその運転者の識別子を記録し、その識別子に対応する車両の運行経路（運行計画データ）をパソコン１０内のハードディスクから抽出して、ハードディスクのハザードマップデータと照合する構成とした。しかし、パソコン１０に例えばキーボード１１から車両を特定する入力を行って、車両の運行経路（運行計画データ）をハードディスクから抽出する構成としてもよい。
【００４６】
また、本実施形態では、危険地点を特定する基となる車両の運行状況の記録情報を、ドライブレコーダ３において収集する場合について説明した。しかし、車両の時々刻々変化する運行情報（イベントデータ）を収集するデジタルタコグラフ（車両運行情報収集装置）において収集した運行情報から危険地点を特定する場合にも、本発明は適用可能である。
【００４７】
その場合には、デジタルタコグラフとその解析装置（本実施形態におけるドライブレコーダ解析ユニット１に相当する装置）との間で運行情報の受け渡しに用いるメモリカードに、車両の運行経路上の危険地点を記録すればよい。
【産業上の利用可能性】
【００４８】
本発明は、車両で収集した運行状況の記録情報の受け渡しに用いるメモリカードに、車両走行上の危険地点のデータを、車両の走行時に運転者に警報するために用いる運転支援情報として記憶させる際に用いて好適である。
【符号の説明】
【００４９】
１  ドライブレコーダ解析ユニット
３  ドライブレコーダ
１０  パーソナルコンピュータ（運転支援情報管理装置、抽出手段、記憶手段）
１１  キーボード
１３  ディスプレイ
１５  プリンタ
１７  リーダライタ
１７ａ  カードスロット
３１  ＣＰＵ
３２  ＲＯＭ
３３  ＲＡＭ
３４  メモリ
３５ａ〜３５ｎ  カメラ
３７ａ〜３７ｎ  加速度センサ
３８  リーダライタ
３８ａ  カードスロット
３９  インタフェース部
４１  車速センサ
４３  ＧＰＳモジュール
４５  スピーカユニット
Ｃ  メモリカード
【図１】
2014032541.tif 000003
【図２】
2014032541.tif 000004
【図３】
2014032541.tif 000005